(57)【特許請求の範囲】
【請求項１】
名刺情報を提供するシステムであって、
第１の人を識別する値及び当該第１の人に対して通信する手段を示す複数のコミュニケーションモードのうち少なくとも１つのコミュニケーションモードの指定を有する第１の名刺レコードと、前記第１の人を識別する値であって前記第１の名刺レコードと異なる値及び当該第１の人に対して通信する手段を示す複数のコミュニケーションモードのうち少なくとも１つのコミュニケーションモードの指定を有する第２の名刺レコードとを含む第１のユーザ端末と、
第２の人を識別する値及び当該第２の人に対して通信する手段を示す複数のコミュニケーションモードのうち少なくとも１つのコミュニケーションモードの指定を有する第３の名刺レコードと、前記第２の人を識別する値であって前記第３の名刺レコードと異なる値及び当該第２の人に対して通信する手段を示す複数のコミュニケーションモードのうち少なくとも１つのコミュニケーションモードの指定を有する第４の名刺レコードとを含む第２のユーザ端末とを含み、
前記第１のユーザ端末が、前記第３の名刺レコードを前記第１の名刺レコードと関連付けて記憶し、前記第４の名刺レコードを前記第２の名刺レコードと関連付けて記憶している場合、前記第１の名刺レコードから通信を開始するときには前記第３の名刺レコードで指定されたコミュニケーションモードで、前記第２の名刺レコードから通信を開始するときには前記第４の名刺レコードで指定されたコミュニケーションモードで、それぞれ前記第２のユーザ端末と通信開始可能に構成された、
名刺情報提供システム。
【請求項２】
前記コミュニケーションモードが、テキスト、音声通話、ビデオ通話、オブジェクト送信のうち少なくとも１つを含む、
請求項１の名刺情報提供システム。
【請求項３】
前記第１のユーザ端末が、前記第２のユーザ端末により前記第３の名刺レコードにおける前記コミュニケーションモードの指定が変更されたことに応答して、前記第１の名刺レコードから通信を開始するときに前記変更後のコミュニケーションモードにより前記第２のユーザ端末と通信開始可能に構成された、
請求項１の名刺情報提供システム。
【請求項４】
前記第１のユーザ端末が、前記第３の名刺レコードにより指定されたコミュニケーションモードにより前記第２のユーザ端末と通信した内容及び／又は履歴を前記第１の名刺レコードと関連付けて記憶可能に構成された、
請求項１の名刺情報提供システム。
【請求項５】
前記第１のユーザ端末が、前記第１の名刺レコードを削除したことに応答して、前記第２のユーザ端末の前記第３の名刺レコードとの間で通信した内容及び／又は履歴を削除するように構成された、
請求項４の名刺情報提供システム。
【請求項６】
さらに、前記第１のユーザ端末及び前記第２のユーザ端末と通信可能な、プロセッサ及びメモリを有するサーバとを含み、
前記サーバが、前記第１の名刺レコードと前記第３の名刺レコードとの間で通信した内容及び／又は履歴、及び前記第２の名刺レコードと前記第４の名刺レコードとの間で通信した内容及び／又は履歴を記憶可能に構成された、
請求項１の名刺情報提供システム。
【請求項７】
第１の人を識別する値及び当該第１の人に対して通信する手段を示す複数のコミュニケーションモードのうち少なくとも１つのコミュニケーションモードの指定を有する第１の名刺レコードと、前記第１の人を識別する値であって前記第１の名刺レコードと異なる値及び当該第１の人に対して通信する手段を示す複数のコミュニケーションモードのうち少なくとも１つのコミュニケーションモードの指定を有する第２の名刺レコードとを含む第１のユーザ端末と、
第２の人を識別する値及び当該第２の人に対して通信する手段を示す複数のコミュニケーションモードのうち少なくとも１つのコミュニケーションモードの指定を有する第３の名刺レコードと、前記第２の人を識別する値であって前記第３の名刺レコードと異なる値及び当該第２の人に対して通信する手段を示す複数のコミュニケーションモードのうち少なくとも１つのコミュニケーションモードの指定を有する第４の名刺レコードとを含む第２のユーザ端末とを含むシステムにおいて、
前記第１のユーザ端末が、
前記第３の名刺レコードを前記第１の名刺レコードと関連付けて記憶することと、
前記第４の名刺レコードを前記第２の名刺レコードと関連付けて記憶することと、
前記第１の名刺レコードから通信を開始するときには前記第３の名刺レコードで指定されたコミュニケーションモードで、前記第２の名刺レコードから通信を開始するときには前記第４の名刺レコードで指定されたコミュニケーションモードで、それぞれ前記第２のユーザ端末と通信開始することを含む、
名刺情報提供方法。
【請求項８】
第１の人を識別する値及び当該第１の人に対して通信する手段を示す複数のコミュニケーションモードのうち少なくとも１つのコミュニケーションモードの指定を有する第１の名刺レコードと、前記第１の人を識別する値であって前記第１の名刺レコードと異なる値及び当該第１の人に対して通信する手段を示す複数のコミュニケーションモードのうち少なくとも１つのコミュニケーションモードの指定を有する第２の名刺レコードとを含む第１のユーザ端末と、
第２の人を識別する値及び当該第２の人に対して通信する手段を示す複数のコミュニケーションモードのうち少なくとも１つのコミュニケーションモードの指定を有する第３の名刺レコードと、前記第２の人を識別する値であって前記第３の名刺レコードと異なる値及び当該第２の人に対して通信する手段を示す複数のコミュニケーションモードのうち少なくとも１つのコミュニケーションモードの指定を有する第４の名刺レコードとを含む第２のユーザ端末とを含むシステムにおいて、
前記第１のユーザ端末に、
前記第３の名刺レコードを前記第１の名刺レコードと関連付けて記憶することと、
前記第４の名刺レコードを前記第２の名刺レコードと関連付けて記憶することと、
前記第１の名刺レコードから通信を開始するときには前記第３の名刺レコードで指定されたコミュニケーションモードで、前記第２の名刺レコードから通信を開始するときには前記第４の名刺レコードで指定されたコミュニケーションモードで、それぞれ前記第２のユーザ端末と通信開始すること
を実行させるためのプログラムを記録した、コンピュータ読取り可能な記録媒体。
【発明の詳細な説明】
【技術分野】
【０００１】
本技術は、名刺情報を提供するシステム及び方法に関する。
【背景技術】
【０００２】
現代社会において人々は複数の役割を演じ、複数の趣味趣向を持ち合わせて生きている。多くの人はこうした個人の顔（ペルソナ）を場面によりまたは相手により使い分けている。個人のペルソナは本人が定義し、状況に応じて本人が他人に対し表出したい部分だけを出している。
【先行技術文献】
【特許文献】
【０００３】
【特許文献１】特開２０１２−１１３４４０号公報
【発明の概要】
【発明が解決しようとする課題】
【０００４】
複数の顔（ペルソナ）を演じるためのデジタル「名刺」というツールを提供するシステムまたは方法が望まれる。【０００５】
また、他人に対し自らが設定し選択する名刺を使用し自己表明を行い、これにより自らのペルソナを個別限定的に使い分けることができるシステムまたは方法が望まれる。【０００６】
さらに、相手によりコミュニケーションの方法を設定でき、これにより相手との関係性によるコミュニケーションを取ることができるシステムまたは方法が望まれる。【０００７】
さらに、自らが発信した名刺を削除することで相手との関係性を解除し記録を抹消することができるシステムまたは方法が望まれる。【０００８】
さらに、公開性の高いソーシャルネットワーキングサービス（ＳＮＳ）とは異なる、秘匿性の高いプライベートなネットワーキングサービスを提供することができるシステムまたは方法が望まれる。
【課題を解決するための手段】
【０００９】
本技術は、例えば、第１の人を識別する値及び当該第１の人に対して通信する手段を示す複数のコミュニケーションモードのうち少なくとも１つのコミュニケーションモードの指定を有する第１の名刺レコードを含む第１のユーザ端末と、前記第１の名刺レコードが記憶され、前記第１のユーザ端末と送受信可能に構成された第２のユーザ端末とを含み、前記第２のユーザ端末が、前記第１の名刺レコードにより指定されたコミュニケーションモードにより前記第１のユーザ端末と通信開始可能に構成された、名刺情報提供システムを含む。
【図面の簡単な説明】
【００１０】
【図１】本技術の実施例による名刺情報提供システムを示す図である。
【図２】本技術の実施例による名刺レコードを示す図である。
【図３】本技術の実施例によるユーザ端末の画面表示を示す図である。
【図４】本技術の実施例による名刺情報提供方法を示すフローチャートである。
【図５】本技術の実施例による名刺レコードを更新又は削除する方法を示すフローチャートである。
【図６】本技術の実施例によるコミュニケーションモードを含む名刺レコードを示す図である。
【発明を実施するための形態】
【００１１】
図１に本技術の実施例による名刺情報提供システム１００を示す。
【００１２】
名刺情報提供システム１００は、インターネット１４０に有線又は無線で通信可能に接続された、サーバ１１０、ユーザ端末１２０及びユーザ端末１３０を含む。
【００１３】
サーバ１１０は、プロセッサ及びメモリを含み、インターネット１４０を介してユーザ端末１２０及びユーザ端末１３０と通信する機能を有するコンピュータである。ユーザ端末１２０は、プロセッサ及びメモリを含み、インターネットを介してサーバ１１０と通信する機能を有するコンピュータ、タブレット端末又はスマートフォン等であり、ユーザ端末１３０も同様である。ユーザ端末１２０及びユーザ端末１３０に限らず、さらに多くのユーザ端末が接続可能である。なお、本明細書においてインターネット１４０は、インターネットのほか、プライベートネットワーク、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＬＴＥ（Ｌｏｎｇ  Ｔｅｒｍ  Ｅｖｏｌｕｔｉｏｎ）ネットワーク等の通信ネットワークも含むものとする。
【００１４】
ユーザ端末１２０及びユーザ端末１３０は、それぞれ当該ユーザ端末の利用者の名刺レコードを有する。
【００１５】
図２に本技術の実施例による名刺レコードを示す。
【００１６】
ユーザ端末１２０は、その利用者の名刺レコード２１０を有する。名刺レコード２１０は、ユーザＩＤ”M8pG17”、名刺番号”01”、氏名”鈴木伸”、 ニックネーム”null”、住所”東京都世田谷区”、年齢”50”、性別”M”、職業／勤務先”xx会社役員”、趣味”音楽”、画像”null”のデータを有する名刺レコード２１２と、ユーザＩＤ”M8pG17”、名刺番号”02”、氏名”null”、 ニックネーム”しんちゃん”、住所”東京都”、年齢”null”、性別”null”、職業／勤務先”null”、趣味”ヘビーメタル”、画像”http://xxx...”のデータを有する名刺レコード２１４とを含む。ユーザ端末１２０はさらに多くの名刺レコードを有してもよい。
【００１７】
ユーザ端末１３０は、その利用者の名刺レコード２２０を有する。名刺レコード２２０は、ユーザＩＤ”Ym26Ka”、名刺番号”01”、氏名”田中はな”、 ニックネーム”null”、住所”横浜市”、年齢”30”、性別”F”、職業／勤務先”プロゴルファー”、趣味”音楽”、画像”http://yyy...”のデータを有する名刺レコード２２２と、ユーザＩＤ”Ym26Ka”、名刺番号”02”、氏名”null”、 ニックネーム”ボミちゃん”、住所”null”、年齢”25”、性別”null”、職業／勤務先”null”、趣味”ヘビーメタル”、画像”http://zzz...”のデータを有する名刺レコード２２４とを含む。ユーザ端末１２０はさらに多くの名刺レコードを有してもよい。
【００１８】
ユーザＩＤは、原則として利用者１人につき１つが割り当てられ、同一のユーザＩＤは同一の利用者であることを示す。ユーザＩＤは、唯一のものであればユーザ自身が決定したものであってもよく、コンピュータが自動生成したものであってもよい。
【００１９】
名刺番号は、利用者１人につき複数有することができ、同一ユーザＩＤにおける異なる名刺番号は同一の利用者についての異なる名刺情報であることを示す。名刺番号は同一ユーザＩＤにおいて唯一のものであればユーザ自身が決定したものであってもよく、コンピュータが自動生成したものであってもよい。
【００２０】
氏名は、利用者の氏名を表す。本名でも芸名、筆名等でもよく、氏又は名の一方のみでもよく、空文字列”null”としてもよい。
【００２１】
ニックネームは、氏名とともに又は氏名に代えて使用される、利用者を識別する名称を表し、空文字列”null”としてもよい。
【００２２】
住所は、利用者の住所や居所等の地理的位置を表し、国名や行政区画名のみでもよく、架空のものでもよく、空文字列”null”としてもよい。
【００２３】
年齢は、利用者の実年齢でもよく、営業その他の理由による公称年齢でもよく、空文字列”null”としてもよい。
【００２４】
性別は、男性”M”又は女性”F” 若しくはその他の性別”X”でもよく、空文字列”null”としてもよい。
【００２５】
職業／勤務先は、職業及び／又は勤務先を表し、架空のものでもよく、空文字列”null”としてもよい。
【００２６】
趣味は、”音楽”のように大きな分類でもよく、”ヘビーメタル”のようにより詳細な分類でもよく、空文字列”null”としてもよい。
【００２７】
画像は、本人の写真やイラストでもよく、ペットや景色の写真やイラスト等でもよく、空文字列”null”としてもよい。また、画像データそのものでもよく、アップロードされた画像データの所在を示すURI（Uniform Resource Identifier）でもよく、空文字列”null”としてもよい。
【００２８】
図３に本技術の実施例によるユーザ端末の画面表示を示す。
【００２９】
ユーザ端末１２０及びユーザ端末１３０の画面表示３００は、発信者がコンテンツを発信することを可能にするするコンテンツ領域３１０，３２０，３３０及び３４０と、受信者にその後のオプションを提供するアイコン３５０，３６０及び３７０を有する。
【００３０】
［名刺交換］
図４に本技術の実施例による名刺情報を提供する方法を示す。
【００３１】
ステップ４１０で名刺情報提供方法４００をユーザ端末１２０において開始する。ユーザ端末１２０及びユーザ端末１３０が近傍に位置すると、ＧＰＳ（Ｇｌｏｂａｌ Ｐｏｓｉｔｉｏｎｉｎｇ Ｓｙｓｔｅｍ）を用いたスマートフォンの位置情報サービス等を利用して一定以下の距離内に位置すると判断される。ユーザ端末１２０及びユーザ端末１３０はBluetooth（商標）等の近距離無線通信により相互に通信してもよい。その際、誤送信を防ぐ等のため、両端末が名刺交換モードに設定された場合にのみ、又は両端末が名刺交換モードに設定されさらに交換する名刺が選択され確定された場合にのみ、名刺レコードを送受信可能になるようにしてもよい。
【００３２】
次にステップ４２０で、ユーザ端末１２０が、選択された自己の名刺レコードの情報の一部を送信する。ユーザ端末１２０においては名刺レコード２１２、名刺レコード２１４又はその他の名刺レコードのうちいずれか１つが任意に選択される。仕事上での名刺交換を目的とする場合は名刺レコード２１２を送信し、趣味の仲間との名刺交換を目的とする場合は名刺レコード２１４を送信する等、目的によって又は相手によって名刺レコードを使い分けることができる。本実施例では名刺レコード２１４が選択されるとする。名刺レコードの情報の一部として、例えばユーザＩＤ、名刺番号、氏名又はニックネーム及び画像がユーザ端末１２０から送信され、ユーザ端末１３０において受信され表示可能になる。ユーザ端末１２０は、自己の名刺レコード２１２及び名刺レコード２１４の情報の一部をユーザ端末１２０の画面表示３００のコンテンツ領域３４０にアイコンとしてそれぞれ表示させていずれかが選択されるようにしてもよい。名刺レコードの情報は、その一部だけが送信されてもよく、その全部が送信されてもよい。名刺レコードの情報の全部が送信される場合、その全部がユーザ端末１３０において表示されてもよく、その一部が表示されるようにしてもよい。
【００３３】
ユーザ端末１３０においても同様に、ユーザ端末１３０が、選択された自己の名刺レコードの情報の一部を送信する。ユーザ端末１３０においては名刺レコード２２２、名刺レコード２２４又はその他の名刺レコードのうちいずれか１つが任意に選択される。仕事上での名刺交換を目的とする場合は名刺レコード２２２を送信し、趣味の仲間との名刺交換を目的とする場合は名刺レコード２２４を送信する等、目的によって又は相手によって名刺レコードを使い分けることができる。本実施例では名刺レコード２２４が選択されるとする。名刺レコードの情報の一部として、例えばユーザＩＤ、名刺番号、氏名又はニックネーム及び画像がユーザ端末１３０から送信され、ユーザ端末１２０において受信され表示可能になる。ユーザ端末１３０は、自己の名刺レコード２２２及び名刺レコード２２４の情報の一部をユーザ端末１３０の画面表示３００のコンテンツ領域３４０にアイコンとしてそれぞれ表示させていずれかが選択されるようにしてもよい。名刺レコードの情報は、その一部だけが送信されてもよく、その全部が送信されてもよい。名刺レコードの情報の全部が送信される場合、その全部がユーザ端末１２０において表示されてもよく、その一部が表示されるようにしてもよい。
【００３４】
次にステップ４３０で、ユーザ端末１２０がユーザ端末１３０において選択された名刺レコード２２４の情報の一部を受信する。ユーザ端末１２０は、受信した名刺レコード２２４の情報の一部をユーザ端末１２０の画面表示３００のコンテンツ領域３１０にアイコンとして表示させる。この際に氏名又はニックネーム、及び画像を表示させ、ユーザＩＤ及び名刺番号を非表示としてもよい。
【００３５】
ユーザ端末１３０においても同様に、ユーザ端末１２０において選択された名刺レコード２１４の情報の一部を受信する。ユーザ端末１３０は、受信した名刺レコード２１４の情報の一部をユーザ端末１３０の画面表示３００のコンテンツ領域３１０にアイコンとして表示させる。この際に氏名又はニックネーム、及び画像を表示させ、ユーザＩＤ及び名刺番号を非表示としてもよい。
【００３６】
次にステップ４４０で、ユーザ端末１２０が、選択された名刺レコード２１４を、ユーザ端末１３０において選択された名刺レコード２２４に関連付けられるように送信する。送信の操作として、ユーザ端末１２０の画面表示３００のコンテンツ領域３４０に表示されている自己の名刺レコード２１４のアイコンをコンテンツ領域３１０に表示された相手の名刺レコード２２４のアイコンに向けてスワイプしてもよく、ドラッグ&ドロップにより自己の名刺レコード２１４のアイコンを移動させて相手の名刺レコード２２４のアイコン上に重ねてもよい。
【００３７】
ユーザ端末１３０においても同様に、選択された名刺レコード２２４を、ユーザ端末１２０において選択された名刺レコード２１４に関連付けられるように送信する。送信の操作として、ユーザ端末１３０の画面表示３００のコンテンツ領域３４０に表示されている自己の名刺レコード２２４のアイコンをコンテンツ領域３１０に表示された相手の名刺レコード２１４のアイコンに向けてスワイプしてもよく、ドラッグ&ドロップにより自己の名刺レコード２２４のアイコンを移動させて相手の名刺レコード２１４のアイコン上に重ねてもよい。
なお、ユーザ端末１３０において選択された自己の名刺レコード２２４を送信することは、同時に行わなくてもよく、全く行わなくてもよい。
【００３８】
一方、ユーザ端末１３０において受信した相手の名刺レコード２１４は、自己の名刺レコード２２４に関連付けられてメモリに記憶される。例えば、ユーザ端末１３０において画面表示３００のコンテンツ領域３４０に表示された自己の名刺レコード２２４を選択したときに相手の名刺レコード２１４及び／又はそのアイコンが「知り合い」としてコンテンツ領域３２０及び／又はコンテンツ領域３３０に表示されてもよい。
【００３９】
ユーザ端末１２０に記憶された名刺レコード２１２及び２１４並びにユーザ端末１３０に記憶された名刺レコード２２２及び２２４は、それらのコピーがサーバ１１０に記憶されてもよい。
この場合、ステップ４４０においてユーザ端末１２０が名刺レコード２１４を送信した時刻及びその時刻におけるユーザ端末１２０の位置情報その他の情報を記憶してもよい。
【００４０】
次にステップ４５０で、名刺情報提供方法４００を終了する。
【００４１】
［名刺の更新・削除］
図５に本技術の実施例による名刺レコードを更新又は削除する方法を示す。
【００４２】
ステップ５１０で名刺レコードを更新又は削除する方法が開始し、ステップ５２０で、自己のユーザ端末１２０上で、選択された名刺レコード２１４が更新又は削除され、その情報がサーバ１１０に送信される。
【００４３】
次にステップ５３０で、サーバ１１０が名刺レコード２１４の更新又は削除の情報を受信し、サーバ１１０上に記憶された名刺レコード２１４のコピーが更新又は削除される。
【００４４】
次にステップ５４０で、他のユーザ端末１３０に名刺レコード２２４と関連付けて記憶された名刺レコード２１４が更新又は削除される。更新または削除のタイミングは、サーバ１１０からのプッシュ通知をトリガにしてもよく、ユーザ端末１３０からサーバ１１０に対する情報更新等のリクエストに応答して行ってもよい。また、他のユーザ端末１３０上での更新又は削除は、強制的に行ってもよく、他のユーザ端末１３０上で承諾操作を行ったときに行ってもよい。
【００４５】
次にステップ５５０で名刺レコードを更新又は削除する方法を終了する。
【００４６】
［名刺の取戻し］
一度特定の相手に送信した自己の名刺レコードを取り戻したい場合等、ユーザ端末１２０から、当該特定の相手の名刺レコード２２４に関連付けて記憶された自己の名刺レコード２１４を削除する要求を送信してもよい。この場合、相手のユーザ端末１３０上での名刺レコード２１４の削除は、強制的に行ってもよく、相手のユーザ端末１３０上で承諾操作を行ったときに行ってもよい。
【００４７】
［受領期限付き名刺］
自己の名刺レコードを送信する際に、受領期限を付けてもよい。ユーザ端末１２０から受領期限付きの名刺レコード２１４が送信され、ユーザ端末１３０において受信した名刺レコード２１４が自己の名刺レコード２２４と関連付けて記憶するように所定時間内または期限までに操作されなかった場合、名刺レコード２１４はユーザ端末１３０上で自動的に削除されてもよい。
【００４８】
［有効期限付き名刺］
自己の名刺レコードを送信する際に、有効期限を付けてもよい。ユーザ端末１２０から有効期限付きの名刺レコード２１４が送信され、ユーザ端末１３０において受信した名刺レコード２１４が自己の名刺レコード２２４と関連付けて記憶するようにしたか否かにかかわらず、所定時間経過時または所定の期限到達時に、名刺レコード２１４はユーザ端末１３０上で自動的に削除されてもよい。その際に、新たな名刺交換を促すメッセージ等を端末に表示してもよい。
【００４９】
［名刺交換の解消］
自己の名刺レコードと関連付けられた相手の名刺を削除して、相手からも自己の名刺を削除されるようにしてもよい。ユーザ端末１２０において自己の名刺レコード２１４と関連付けられた相手の名刺レコード２２４が削除され、それに応答して相手のユーザ端末１３０から、相手の名刺レコード２２４と関連付けられて記憶された自己の名刺２１４が削除されてもよい。この場合、相手のユーザ端末１３０上での自己の名刺レコード２１４の削除は、強制的に行ってもよく、相手のユーザ端末１３０上で承諾操作を行ったときに行ってもよい。
【００５０】
［名刺の追加］
同一の人に属する複数の異なる名刺を交換してもよい。例えば、図４の名刺情報提供方法において、ユーザ端末１２０がユーザ端末１３０に対して名刺レコード２１４に加えて名刺レコード２１２を、同時に又は時間をおいて送信してもよい。追加で送信される名刺レコード２１２は、既に名刺レコード２１４と交換された名刺レコード２２４に関連付けられるように送信されるが、受信側のユーザ端末１３０において異なる名刺レコード２２２と関連付けて記憶されるようにしてもよい。
【００５１】
［コミュニケーションモード］
図２に示した名刺レコードは、さらにテキスト、音声通話、ビデオ通話、オブジェクト送信の可否等のコミュニケーションモードの指定を含んでもよい。図６に本技術の実施例によるコミュニケーションモードを含む名刺レコードを示す。
【００５２】
名刺レコード６１０及び６２０は、名刺レコード２１０及び２２０に示したデータに加え、さらにテキスト、音声通話、ビデオ通話、オブジェクト送信等のコミュニケーションモードの指定を含む。ここで、”x”はそのコミュニケーションモードでの通信の開始を許可することを示し、”null”はそのコミュニケーションモードでの通信の開始を許可しないことを示す。
【００５３】
名刺レコード６１２は、名刺レコード２１２（図２）に示したデータに加え、さらにテキスト”x”、音声通話”x”、ビデオ通話”null”、オブジェクト送信”null”のコミュニケーションモードの指定を含む。
【００５４】
名刺レコード６１４は、名刺レコード２１４（図２）に示したデータに加え、さらにテキスト”x”、音声通話”x”、ビデオ通話”x”、オブジェクト送信”null”のコミュニケーションモードの指定を含む。
【００５５】
名刺レコード６２２は、名刺レコード２２２（図２）に示したデータに加え、さらにテキスト”x”、音声通話”x”、ビデオ通話”null”、オブジェクト送信”null”のコミュニケーションモードの指定を含む。
【００５６】
名刺レコード６２４は、名刺レコード２２４（図２）に示したデータに加え、さらにテキスト”x”、音声通話”x”、ビデオ通話”null”、オブジェクト送信”x”のコミュニケーションモードの指定を含む。
【００５７】
これにより、名刺レコード６１４と名刺レコード６２４が名刺交換されると、名刺レコード６１４の”しんちゃん”から名刺レコード６２４の”ボミちゃん”に対しテキスト、音声通話及びオブジェクト送信が可能になるが、ビデオ通話は可能にならない。
【００５８】
一方、名刺レコード６２４の”ボミちゃん”から名刺レコード６１４の”しんちゃん”に対しテキスト、音声通話及びビデオ通話が可能になるが、オブジェクト送信は可能にならない。
【００５９】
この場合、ビデオ通話については名刺レコード６１４の”しんちゃん”が許可している一方で名刺レコード６２４の”ボミちゃん”は許可していない。この場合、名刺レコード６１４の”しんちゃん”は名刺レコード６２４の”ボミちゃん”に対しビデオ通話での通信を開始することができないが、名刺レコード６２４の”ボミちゃん”から発呼され開始されたビデオ通話に応答してビデオ通話を行うことができる。
【００６０】
同様に、オブジェクト送信については名刺レコード６１４の”しんちゃん”が許可していない一方で名刺レコード６２４の”ボミちゃん”は許可している。この場合、名刺レコード６１４の”しんちゃん”から名刺レコード６２４の”ボミちゃん”に対しオブジェクト送信をすることができるが、名刺レコード６２４の”ボミちゃん”から名刺レコード６１４の”しんちゃん”に対しオブジェクト送信をすることはできない。
【００６１】
名刺レコード６１２及び６１４のコミュニケーションモードの指定は、ユーザ端末１２０により変更可能である。また、名刺交換の際に相手に応じて変更できるようにしてもよく、一度名刺交換を行った後に変更できるようにしてもよい。コミュニケーションモードの指定が変更されると、変更された名刺レコードに対し、変更後のコミュニケーションモードにより通信開始可能となる。名刺レコード６２２及び６２４のコミュニケーションモードの指定についても同様に、ユーザ端末１３０により変更され得る。
【００６２】
ユーザ端末１２０は、名刺レコード６１４と名刺レコード６２４の間での通信内容及び／又は履歴を、名刺レコード６２４と関連付けて記憶するようにしてもよい。この場合、名刺レコード６２４がユーザ端末１２０上で削除されるとそれに伴って当該通信内容及び／又は履歴もユーザ端末１２０上で削除される。
【００６３】
ユーザ端末１２０に記憶された名刺レコード６１２及び６１４並びにユーザ端末１３０に記憶された名刺レコード６２２及び６２４は、それらのコピーがサーバ１１０に記憶されてもよい。
この場合、サーバ１１０が上述した通信内容及び／又は履歴を記憶してもよい。
【産業上の利用可能性】
【００６４】
本技術は、例えば、相手に応じて異なる名刺情報を使い分け、交換することを可能にする。
【符号の説明】
【００６５】
１００    名刺情報提供システム
１１０    サーバ
１２０、１３０    ユーザ端末
１４０    インターネット
【要約】
相手によりコミュニケーションの方法を設定できるシステム又は方法を提供する。
第１の人を識別する値及び第１の人に対して通信する手段を示す複数のコミュニケーションモードのうち少なくとも１つのコミュニケーションモードの指定を有する第１の名刺レコードを含む第１のユーザ端末と、第１の名刺レコードが記憶され、第１のユーザ端末と送受信可能に構成された第２のユーザ端末とを含み、第２のユーザ端末が、第１の名刺レコードにより指定されたコミュニケーションモードにより第１のユーザ端末と通信開始可能に構成される。【図１】
0006433108.tif 000002
【図２】
0006433108.tif 000003
【図３】
0006433108.tif 000004
【図４】
0006433108.tif 000005
【図５】
0006433108.tif 000006
【図６】
0006433108.tif 000007